(57)【要約】【課題】  光電素子を用いた非接触型センサが天井側に配置された蛍光灯等の外部光源からの光によって誤作動することを防止することができ、これによって遊技者の意図しない所定のパチンコ遊技の誤動作を防止すること。【解決手段】  減光フィルタ３２で外部光源の光を受光素子１５ｂが作動しないように減光させ、また、電流制限抵抗器４７で発光素子１５ａの発光輝度を、この発光光が手１９で反射され際の反射光が減光フィルタ３２を通って受光素子１５ｂで受光された際に受光素子１５ｂが正常作動するような値とした。これによって、外部光源の光が減光フィルタ３２で減光されるので受光素子１５ｂが作動せず、また、発光光が手１９で反射された反射光が減光フィルタ３２を介して受光素子１５ｂで受光された際に受光素子１５ｂが正常作動するようにする。【選択図】      図１
2005185362.tif 000002
【特許請求の範囲】
【請求項１】
発光素子から発光した光が、この光の放射方向にかざされた光の反射手段で反射された際に、この反射光を受光素子で受光して検知状態となった際にスイッチング動作を行うパチンコ機搭載用の非接触型センサにおいて、
前記反射光以外の外部光源の光で前記受光素子が検知状態とならないように、当該受光素子への入射光を減光させる減光フィルタを備え、
前記発光素子として、前記減光フィルタを通過した前記反射光の受光時にのみ当該受光素子が検知状態となる輝度の光を発光する発光素子を用いた
ことを特徴とするパチンコ機搭載用の非接触型センサ。
【請求項２】
発光素子から発光した光が、この光の放射方向にかざされた光の反射手段で反射された際に、この反射光を受光素子で受光して検知状態となった際にスイッチング動作を行うパチンコ機搭載用の非接触型センサにおいて、
前記反射光以外の外部光源の光で前記受光素子が検知状態とならないように、当該受光素子への入射光を減光させる減光フィルタと、
前記発光素子の発光輝度が、前記減光フィルタを通過した前記反射光の受光時にのみ当該受光素子が検知状態となる輝度値となるように、当該発光素子の電流値を増加させる電流制限手段と
を備えたことを特徴とするパチンコ機搭載用の非接触型センサ。
【発明の詳細な説明】
【技術分野】
【０００１】
本発明は、遊技盤の前面に配設されるパチンコ機搭載用の非接触型センサに関し、特に当該非接触型センサに手をかざすことによりスイッチング動作を行い、この動作によって画面に表示動作中の図柄を停止させるためのパチンコ機搭載用の非接触型センサに関する。
【背景技術】
【０００２】
従来からパチンコ機においては、遊技に変化を持たせるために遊技者がスイッチを操作する構成が採られている。例えば遊技盤において遊技者が操作し易い位置に配設された接触型のタッチセンサや、光電素子を用いた非接触型センサがある。これらのセンサは、一般的に遊技盤の画面に表示動作中の図柄を停止させる目的で設けられている。
タッチセンサは、遊技者が当該センサを手で直接触れたことを検知するものであり、この検知によって動作中の図柄が停止するようになっている。
【０００３】
非接触型センサは、当該センサの前方を遊技者が手をかざすことによって、上記同様に動作中の図柄を停止させるためのものであり、例えば図３に示すように取り付けられている。即ち、パチンコ機の遊技盤１１の前面左隅の領域に、非接触型センサを取り付けるためのベース１３が配設され、このベース１３に非接触型センサ１５が固定されている。
この非接触型センサ１５は、図４に示す遊技盤１１の非接触型センサ１５部分の断面図に破線矢印で示すように、発光素子１５ａから光を発光して外部へ放射しており、この放射光が手１９で反射されると、この反射光を受光素子１５ｂで受光することによってスイッチング動作（スイッチオン）するようになっている。このスイッチング動作によって、図柄の動作が停止する。
【０００４】
この種の従来のパチンコ機として、例えば特許文献１に記載のものがある。
【特許文献１】特願２００２−３２８７６３号公報
【発明の開示】
【発明が解決しようとする課題】
【０００５】
ところで、従来のパチンコ機においては、パチンコ店に遊技盤１１を設置する際に、図５に示すように、遊技盤１１の盤面１１ａを、水平な床面に垂直な垂直線２１に対して所定角度θ＝約１度で交わるように傾け、この斜め上向きに傾けることによって盤面１１ａを球が流下するように設置される。
しかし、このように盤面１１ａが斜め上向きとなるように設置されると、盤面１１ａに固定された非接触型センサ１５の発光／受光面１５ｄも同様に斜め上向きとなるので、天井２２に固定（又は天井２２側に配設）されている蛍光灯２３からの破線矢印で示す光が、発光／受光面１５ｄに受光状態となりやすい角度で入射される。このため、非接触型センサ１５が蛍光灯２３の光を受光し易くなって誤作動するという問題がある。
【０００６】
また、図柄が動作中の場合に、遊技者が手をかざしていないにも関らず非接触型センサ１５が上記のように誤作動すると、遊技者の意図に反して動作中の図柄が停止してしまうなど、所定のパチンコ遊技の誤動作が生じる問題がある。
本発明は、このような課題に鑑みてなされたものであり、光電素子を用いた非接触型センサが天井側に配置された蛍光灯等の外部光源からの光によって誤作動することを防止することができ、これによって遊技者の意図しない所定のパチンコ遊技の誤動作を防止することができるパチンコ機を提供することを目的としている。
【課題を解決するための手段】
【０００７】
上記目的を達成するために、本発明の請求項１によるパチンコ機搭載用の非接触型センサは、発光素子から発光した光が、この光の放射方向にかざされた光の反射手段で反射された際に、この反射光を受光素子で受光して検知状態となった際にスイッチング動作を行うパチンコ機搭載用の非接触型センサにおいて、前記反射光以外の外部光源の光で前記受光素子が検知状態とならないように、当該受光素子への入射光を減光させる減光フィルタを備え、前記発光素子として、前記減光フィルタを通過した前記反射光の受光時にのみ当該受光素子が検知状態となる輝度の光を発光する発光素子を用いたことを特徴としている。
【０００８】
この構成によれば、受光素子が検知状態とならないように減光フィルタで外部光源の光が減光され、また、減光フィルタを通過した反射光の受光時にのみ当該受光素子が検知状態となる輝度の光を、発光素子が発光するので、受光素子は、外部光源の光では検知状態とならず、また、発光光が反射手段で反射された反射光が減光フィルタを介して受光素子で受光された場合にのみ検知状態となる。
【０００９】
また、本発明の請求項２によるパチンコ機搭載用の非接触型センサは、発光素子から発光した光が、この光の放射方向にかざされた光の反射手段で反射された際に、この反射光を受光素子で受光して検知状態となった際にスイッチング動作を行うパチンコ機搭載用の非接触型センサにおいて、前記反射光以外の外部光源の光で前記受光素子が検知状態とならないように、当該受光素子への入射光を減光させる減光フィルタと、前記発光素子の発光輝度が、前記減光フィルタを通過した前記反射光の受光時にのみ当該受光素子が検知状態となる輝度値となるように、当該発光素子の電流値を増加させる電流制限手段とを備えたことを特徴としている。
【００１０】
この構成によれば、受光素子が検知状態とならないように減光フィルタで外部光源の光が減光され、また、発光素子の発光輝度が電流制限手段によって、減光フィルタを通過した反射光の受光時にのみ当該受光素子が検知状態となる輝度値とされるので、受光素子は、外部光源の光では検知状態とならず、また、発光素子の発光光が反射手段で反射された反射光が、減光フィルタを介して受光素子で受光された場合にのみ検知状態となる。
【発明の効果】
【００１１】
以上説明したように本発明によれば、光電素子を用いた非接触型センサが天井側に配置された蛍光灯等の外部光源からの光によって誤作動することを防止することができ、これによって遊技者の意図しない所定のパチンコ遊技の誤動作を防止することができるという効果がある。
【発明を実施するための最良の形態】
【００１２】
以下、本発明の実施の形態を、図面を参照して説明する。但し、本明細書中の全図において相互に対応する部分には同一符号を付し、重複部分においては後述での説明を適時省略する。
（実施の形態）
図１は、本発明の実施の形態に係るパチンコ機搭載用の非接触型センサの構成を示す図である。
図１に示す非接触型センサ３０は、従来例で図３を参照して説明したように遊技盤１１の盤面（前面）１１ａに配設されるものであり、発光素子１５ａと、受光素子１５ｂと、これら素子１５ａ，１５ｂに電気的に接続されたセンサ回路３１と、受光素子１５ｂの前方に配置された減光フィルタ３２とを備えて構成されている。
【００１３】
センサ回路３１は、図２に示すように構成されている。但し、図２では、発光素子１５ａ及び受光素子１５ｂを含んで表しており、発光素子１５ａとして発光ダイオード、受光素子１５ｂとしてフォトカプラを想定している。従って以降、発光素子１５ａを発光ダイオード１５ａ、受光素子１５ｂをフォトカプラ１５ｂと称す場合もある。
【００１４】
発光ダイオード１５ａとフォトカプラ１５ｂとは、電源ＶｃｃとアースＧＮＤとの間に各々並列に電源制限用の抵抗器４１，４２を介して接続されている。また、電源ＶｃｃとアースＧＮＤとの間には、コレクタ側に抵抗器４３を介してトランジスタ４５のエミッタ−ベース端が接続されている。このトランジスタ４５のベースは、抵抗器４２とフォトカプラ１５ｂとの間に接続されており、非接触型センサ３０のオン／オフのスイッチング動作を行って、画面表示動作中の図柄を停止させるためのオン信号４４を出力するようになっている。
【００１５】
更に、発光ダイオード１５ａのカソード側とアースＧＮＤとの間には、本実施の形態の特徴要素である電流制限抵抗器（電流制限手段）４７が接続されている。この電流制限抵抗器４７は、当該抵抗器４７が接続されていない状態に比べ、発光ダイオード１５ａに流れる電流値を約３倍に増加させる抵抗値となっており、これによって発光ダイオード１５ａの発光輝度を高める役割を担っている。
【００１６】
また、もう一つの本実施の形態の特徴要素である減光フィルタ３２は、光透過度を約１／３とするものであり、フォトカプラ１５ｂへの入射光の輝度を低減させる役割を担っている。このように入射光の輝度を低減させることによって、発光ダイオード１５ａからの発光光が反射した反射光以外の外部光源の光では、フォトカプラ１５ｂが作動しない（検知状態とならない）ようにしている。
【００１７】
つまり、減光フィルタ３２で外部光源の光をフォトカプラ１５ｂが作動しないように減光させ、また、電流制限抵抗器４７で発光ダイオード１５ａの発光輝度を、この発光光が手（反射手段）１９で反射され際の反射光が減光フィルタ３２を通ってフォトカプラ１５ｂで受光された際にフォトカプラ１５ｂが正常作動するような値（この輝度値を以降、本特徴値と称す）とするようになされている。
【００１８】
このような構成の非接触型センサ３０の動作を説明する。
発光ダイオード１５ａは、常時発光している状態となっている。この際、電流制限抵抗器４７によって、発光ダイオード１５ａに流れる電流値が該抵抗器４７の無接続状態より約３倍に増加し、これによって発光ダイオード１５ａの発光輝度が本特徴値とされている。
この際、フォトカプラ１５ｂはオフ状態となっており、これによってトランジスタ４５がオン状態となって出力が「Ｌ」レベル、つまり「Ｈ」レベルのオン信号４４が出力されていない状態となっている。
【００１９】
この状態で、外部光源の光が非接触型センサ３０へ入射されても、この入射光は減光フィルタ３２で約１／３に減光されるので、フォトカプラ１５ｂは作動しない。
ここで、非接触型センサ３０の前方に手１９がかざされたとすると、この手１９で発光光が反射され、この反射光が減光フィルタ３２を介してフォトカプラ１５ｂで受光される。この場合、この発光光の輝度は本特徴値なので、その反射光が減光フィルタ３２を通ってフォトカプラ１５ｂで受光された場合、フォトカプラ１５ｂが正常作動する。
【００２０】
つまり、フォトカプラ１５ｂがオン状態となるので、トランジスタ４５がオフ状態となって出力が「Ｈ」レベルとなる。つまりオン信号４４が出力される。このオン信号４４によって従来例で説明したように、画面に表示動作中の図柄が停止される。つまり、非接触型センサ３０に手１９をかざすことによって、画面に表示動作中の図柄が停止される。
このように、本実施の形態の非接触型センサ３０によれば、減光フィルタ３２で外部光源の光をフォトカプラ１５ｂが作動しないように減光させ、また、電流制限抵抗器４７で発光ダイオード１５ａの発光輝度を、この発光光が手１９で反射され際の反射光が減光フィルタ３２を通ってフォトカプラ１５ｂで受光された際にフォトカプラ１５ｂが正常作動するような値とした。
【００２１】
これによって、外部光源の光が減光フィルタ３２で減光されるのでフォトカプラ１５ｂは作動しない。また、発光光が手１９で反射された反射光が減光フィルタ３２を介してフォトカプラ１５ｂで受光されると、フォトカプラ１５ｂは正常作動する。従って、非接触型センサ３０が外部光源の光を受光しても誤作動が生じないので、従来のような非接触型センサの誤作動による遊技者の意図に反した図柄動作の停止など、パチンコ遊技の誤動作を防止することができる。
【００２２】
また、発光ダイオード１５ａの発光輝度を電流制限抵抗器４７で高くしているが、電流制限抵抗器４７を用いず、予め本特徴値の輝度を有する発光ダイオードを用いても上記同様の効果を得ることができる。
また、電流制限抵抗器４７を用いず、発光ダイオード１５ａのアノード側の抵抗器４１を可変抵抗器に置き換え、この可変抵抗器によって発光ダイオード１５ａの電流値を変えることにより発光輝度が本特徴値となるようにしても上記同様の効果を得ることができる。
【図面の簡単な説明】
【００２３】
【図１】本発明の実施の形態に係るパチンコ機搭載用の非接触型センサの構成を示す図である。
【図２】上記非接触型センサの構成を示す回路図である。
【図３】パチンコ機の遊技盤における非接触型センサの取り付け位置を示す正面図である。
【図４】従来の遊技盤における非接触型センサ部分の断面図である。
【図５】従来のパチンコ機を設置した際の非接触型センサの発光／受光面が向く方向を示す側面図である。
【符号の説明】
【００２４】
１１  遊技盤
１１ａ  盤面
１３  ベース
１５，３０  非接触型センサ
１５ａ  発光素子（発光ダイオード）
１５ｂ  受光素子（フォトカプラ）
１５ｄ  発光／受光面
１９  手
２１  垂直線
２２  天井
２３  蛍光灯
３１  センサ回路
３２  減光フィルタ
４１，４２，４３  抵抗器
４４  オン信号
４５  トランジスタ
４７  電流制限抵抗器
Ｖｃｃ  電源
ＧＮＤ  アース
【図１】
2005185362.tif 000003
【図２】
2005185362.tif 000004
【図３】
2005185362.tif 000005
【図４】
2005185362.tif 000006
【図５】
2005185362.tif 000007